(57)【要約】【課題】従来、台所で料理を作る場合は、洗って（流し台）、切って（調理台）、煮る、焼く（レンジ）といった導線で料理するのが一般的である。それを踏まえれば当然調理台もそれなりのゆとりをもった広さが求められる。しかし、現状は住宅事情によりガスコンロ台と、流し台に比べれば調理台は小さめにするのが一般的で、非常に作業効率的に良くない。  また、調理中や食事後の後片付け時に発生する生ゴミ処理は、汚水や水で手を汚す煩わしさがあった。【解決手段】流し台シンク縁に載置されるブラケット（１）と、該ブラケット（１）の上部に載置される補助調理台の天板（５）と、該ブラケット（１）先端部に装着される袋吊具（６）と、から成る水切り袋吊具付補助調理台。【選択図】図１
2007313260.tif 000002
【特許請求の範囲】
【請求項１】
流し台シンク縁に載置されるブラケット（１）と、該ブラケット（１）を保持する支持具（３）、および、吸盤支持具（４）と、該ブラケット（１）上部に載置される天板（５）と、該ブラケット（１）先端部に装着される袋吊具（６）と、から成り、シンク縁から着脱が自在であることを特徴とする水切り袋吊具付補助調理台。
【請求項２】
流し台シンク縁に載置されるブラケット（１）と、該ブラケット（１）を保持する支持具（３）、および、磁石支持具（２３）と、該ブラケット（１）上部に載置される天板（５）と、該ブラケット（１）先端部に装着される袋吊具（６）と、から成り、シンク縁から着脱が自在であることを特徴とする請求項１記載の水切り袋吊具付補助調理台。
【発明の詳細な説明】
【技術分野】
【０００１】  本発明は、流し台シンク縁に載設させる水切り袋吊具付補助調理台に関するものである。
【背景技術】
【０００２】  従来、台所で調理するとき、まな板は、調理台の上に載置するか、調理台スペースが狭い場合は流し台シンク縁に載置し、また、生ゴミは流し台シンク内排水口に内設されたカゴに水切り袋を挿着するか、三角コーナー容器に水切り袋を挿着し処理していた。
【発明の開示】
【発明が解決しようとする課題】
【０００３】そのために、次のような問題があった。
（イ）住宅にはいろいろな形態があって賃貸マンション住宅や、都市部の一部木造住宅等では台所を広く設けることが出来ないところがあり、必然的に調理台スペースが狭くなり、該調理台に食材や食器等を載置するとまな板の載置場所が無くなり、流し台シンク縁に載置するなど作業効率が非常に悪いという欠点があった。また、調理中や食事後の後片付け時に発生する生ゴミは、シンクの排水口に内設された生ゴミ入れ容器か、流し台シンク内隅に設けた三角コーナーの容器に水切り袋を挿着して処理するため、該水切り袋の取り替え時や、容器の洗浄時に水や汚水で手を汚す煩わしさがあった。
【課題を解決するための手段】
【０００４】  請求項１に係る本発明は、帯状の金属板を折り曲げ加工したブラケット（１）に、該ブラケット（１）と同形金属板を折り曲げ加工したアーム（２）を支持具（３）と吸盤支持具（４）で挟着し、２本１セットで流し台シンク縁に上方向から載置して、さらにその上に天板（５）を載置する。また、片一方の該ブラケット（１）の先端部に袋吊具（６）を嵌着させて、市販品水切り袋（７）を吊着した構成である。
請求項２に係る本発明は、ブラケット（１）と同形金属板を折り曲げ加工したアーム（２）を支持具（３）と磁石支持具（２３）で挟着し、２本１セットで流し台シンク縁に上方向から載置して、さらにその上に天板（５）を載置する構成である。
【発明の効果】
【０００５】本発明を使用することによって、従来調理台の上にまな板を載置するか、流し台シンク縁に載置しての調理作業が一般的であったが、本発明の水切り袋吊具付補助調理台は、まな板、食材、食器等も載置可能のため、流し台をより広く利用出来かつ、調理スペースが広がることで台所内の調理作業がスムーズになる。また、調理時や食事後の片付け時に発生する生ゴミは、水切り袋を容器に挿着するのでなく、本発明に付属する、既に吊着された袋吊具を利用して吊着するため、袋の着脱が容易にでき、また、排水口カゴの洗浄時に汚れ汁で手を汚す煩わしさがなくきわめて清潔である。
【発明を実施するための最良の形態】
【０００６】以下、本発明の実施の形態について説明する。
（イ）図１および図２は、請求項１に記載の技術の一実施例を示したものであるが、本発明の水切り袋吊具付補助調理台で、流し台シンク縁の略中央部にブラケット（１）２本を平行に載置し、その上方向から天板（５）を載置させる。さらに、片一方のブラケット（１）先端部に袋吊具（６）を挿着し、市販品水切り袋（７）を吊着した水切り袋吊具付補助調理台である。
（ロ）図３に示すように、ブラケット（１）は適当な厚さを有した帯状の金属板を、好適な位置で略階段状に折り曲げ加工し、また、ブラケット（１）と同じ厚さを有した帯状の金属板を好適な位置で略Ｚ状に折り曲げ加工したアーム（２）とを、支軸（８）で直角回動可能に枢着した。
（ハ）ブラケット（１）の長辺側面形状で略階段上の高段部分の下部に支持具（３）を垂設する。支持具（３）は全ネジボルト（９）と長ナット（１０）と板カム（１１）と袋ナット（１２）から構成される。
（ニ）ブラケット（１）の略階段状の高い部分に全ネジボルト（９）と同径の孔穴を設け雌ネジ加工する。
（ホ）支持具（３）は、適当な直径と長さを有したボルトに全雄ネジ加工を施した全ネジボルト（９）に、外形が六角形状の適当な長さを有した長ナット（１０）を螺入し、該長ナット（１０）の片端部に適当な厚さと大きさを有した金属製、または、プラスチック製の楕円型状薄板の板カム（１１）を長ナット（１０）と一体に軸着した構成から成る。
（ヘ）支持具（３）の取付け方法は、全ネジボルト（９）の雄ネジ部をブラケット（１）の孔穴雌ネジ加工部に螺入貫通させ、上方向から袋ナット（１２）で螺嵌締着する。
（ト）このとき、袋ナット（１２）がブラケット（１）の上面に突起するが、この突起した袋ナット（１２）が天板（５）を載置したとき、天板（５）裏面に円筒形状の凹部（１３）に穴を設け、嵌合させることで調理時に天板（５）が滑動しないようストッパーの役目となる。
（チ）板カム（１１）は流し台シンク縁外側のステンレス折り曲げ加工部と、流し台パネル、および、扉との間の奥行、または、隙間の形状がメーカーによって異なるため、形状を略楕円形薄板状とし、軸着したとき、板カム（１１）が奥行の形状に合った好適な状態に回動させ、挿入し長ナット（１０）で螺嵌締着する。【０００７】（リ）図３に示すように、流し台シンク縁に、ブラケット（１）の略階段状の中段部分に適当な厚さを有した帯状の金属板を好適な位置で、略Ｚ状に折り曲げ加工したアーム（２）を直角回動可能に枢着する。
（ヌ）アーム（２）を、略Ｚ状に折り曲げ加工することで、支軸（８）を中心にブラケット（１）と一直線の状態に伸ばしたとき、ブラケット（１）の略階段状の高段部分と、アーム（２）の略Ｚ状の高い部分の高さが同位となり、水平に保持し、そのことによって天板（５）も水平に載置できる。
（ル）図４に示すように、流し台シンク縁の略中央部にブラケット（１）２本を適当な間隔で載置し、該ブラケット（１）に垂設した支持具（３）と吸盤支持具（４）で平行、および、水平に挟着する。そのうえで、調理作業時には支軸（８）で枢着されたアーム（２）をブラケット（１）に沿って平行な状態の位置に重合させ、天板（５）を載置する。
（ヲ）また、調理をしないとき、および、食器、食材等を載置しない時は、支軸（８）で枢着されたアーム（２）を回動させ、ブラケット（１）２本の内側に直角に流し台シンク縁に平行に折り曲げ収納する。【０００８】（ワ）ブラケット（１）の略階段状の低段部分先端を、長辺方向に適当な巾の略Ｕ字形に切り欠き、該切り欠き部に吸盤支持具（４）を挿入し吊着する。吸盤支持具（４）は、ボルト付吸盤ホルダー（１６）と吸盤（１７）とナット（１８ａ）２個で構成される。
（カ）ボルト付吸盤ホルダー（１６）は、略四角形状ホルダーに適当な大きさと、深さの略円筒凹状の欠き込みを設ける。吸盤（１７）に適当な大きさと高さの、略円筒凸状突起を設け略四角形状ホルダーの略円筒凹状の欠き込みに埋設させ、さらに、略Ｌ字形に丸棒状の支柱を設けて端部を雄ネジに加工を施し、雌ネジ加工したナット（１８ａ）２個を螺着させる。
（ヨ）吸盤支持具（４）を使用するには、ブラケット（１）を水平に保持し、切り欠き部にボルト付吸盤ホルダー（１６）の支柱をナット（１８ａ）を緩めて挿入し、流し台シンク内側壁に吸盤（１７）を圧着させる。さらに、ブラケット（１）の金属板を上下両面方向からナット（１８ａ）で挟着させ、吸盤（４）を密接することで、空気が入り緩んで脱落することを防止する。【０００９】（タ）図５に示すように、ブラケット（１）端部に略直角形のフック状に折り曲げ加工し、天板（５）を使用しないときは、天板掛けフック（１４）に吊着して収納する。
（レ）図６（ａ）（ｂ）（ｃ）に示すように、天板（５）は、適当な大きさの四角形孔穴（１９）を角端部に２箇所、円筒形状の凹部（１３）を２箇所、まな板掛けラック（１５）２箇所、包丁掛けラック（２０）設けた構成である。
（ソ）天板（５）は台所での調理作業時の補助調理台で、形状は適当な大きさと適当な厚さを有した四角形の板材で、材質は木製、金属製、プラスチック製いずれも好適である。
（ツ）天板（５）の四角形孔穴（１９）は、調理作業をしないときにブラケット（１）のまな板掛けフック（１４）部に挿通させて吊り下げる。また、天板（５）の裏面部分に適当な大きさのＬ字型帯状金属板を折り曲げ加工し固着した、まな板掛けラック（１５）にまな板を収納する。
（ネ）天板（５）裏面に適当な大きさと深さの円筒形状の穴を有した凹部（１３）を刻設し、ブラケット（１）上に天板（５）を載置したとき、天板（５）が調理作業中に滑動しないよう袋ナット（１２）と嵌合させて滑り止とする。
（ナ）包丁掛けラック（２０）は、金属製、または、プラスチック製の薄板材に長方形状の孔穴を開け、天板（５）の側壁部に固着させ、調理作業しないときは、包丁を包丁掛けラック（２０）の孔穴部に挿通させて吊り下げ収納する。【００１０】（ラ）図７（ａ）（ｂ）に示すように、袋吊具（６）は、一方向が開口した略Ｃ字型のプラスチック製の枠体であり、その円周の中心付近から外側に向け、断面形状はカタカナの略エ字状突起片（２１）が突設されている。さらに、袋吊具（６）の略Ｃ字型枠体内側壁に数個の突起爪（２２）を内設した構成である。
（ム）袋吊具（６）の使用は任意で、ブラケット（１）の略Ｕ字形切り欠き部に挿通軸着し、数個の突起爪（２２）部に市販品水切り袋（７）を吊着する。なお、袋吊具（６）の一方向が開口した略Ｃ字型の形状は、市販品水切り袋（７）に生ゴミを投入し、市販品水切り袋（７）がゴミで膨らんで水切り袋が大きくなっても横移動で交換が容易にできる。【００１１】（ウ）図８および図９は、請求項２記載の本発明の第２実施例における、水切り袋吊具付補助調理台の一実施例を示すもので、ブラケット（１）の長辺方向、略Ｕ字形の切り欠き部に磁石支持具（２３）をスライドさせながら吊着する。磁石支持具（２３）は、ボルト付磁石ホルダー（２４）と磁石（２５）とナット（１８ｂ）２個で構成される。
（ヰ）ボルト付磁石ホルダー（２４）に磁石（２５）を埋設し、さらに、略Ｌ字形に丸棒状の支柱を設けて端部を雄ネジに加工を施し、雌ネジ加工したナット（１８ｂ）２個を螺着させる。
（ノ）磁石支持具（２３）を使用するには、ブラケット（１）を水平に保持して、切り欠き部にボルト付磁石ホルダー（２４）の支柱をナット（１８ｂ）を緩めて挿入し、流し台シンク内側壁の平滑面に磁石（２５）を付着させ、ナット（１８ｂ）でブラケットの金属板を両面から挟着させる。
本発明は以上の構造になっている。【００１２】  本発明は以上の構造でこれを使用するときは、流し台シンク縁に上方向から略中央部にブラケット（１）を載置し、該ブラケット（１）に支持具（３）の全ネジボルト（９）を貫通し、袋ナット（１２）で垂設する。
さらに、全ネジボルト（９）に長ナット（１０）を螺入し、軸着した板カム（１１）を流し台シンク縁外側のステンレス折り曲げ加工部と流し台パネル間に挿入し、好適な状態で長ナット（１０）を締着する。
次に、ブラケット（１）の略Ｕ字形切り欠き部に吸盤ホルダー（１６）の支柱（８）をナット（１８ａ）を緩めて挿入し、流し台シンク内のステンレス側壁にブラケット（１）を水平に保持してから吸盤（４）を圧着させ、吸盤（４）が緩まないよう、ブラケット（１）の両面からナット（１８ａ）で締着する。
以上の方法で、同じ状態に平行、水平に２本目を載置する。
次に、任意の片一方のブラケット（１）略Ｕ字形切り欠き部に袋吊具（６）の略突起片（２１）を嵌合挿通し軸着させ、さらに、複数の突起爪（２２）に市販品水切り袋（７）を引掛け吊着する。
次に、流し台シンクに載置した２本のブラケット（１）に、上方向から天板（５）の凹部（１３）と、ブラケット（１）の袋ナット（１２）が嵌合するように載置させ、まな板を載置する。また、調理が終了時は天板（５）を天板掛けフック（１４）に吊着し、まな板をまな板掛けラック（１５）に収納し、アーム（２）を直角回転して流し台シンク縁と平行に収納する。さらに、包丁を包丁掛けラック（２０）に収納する。以上によって、水切り袋具付補助調理台の流し台シンク縁に載置され、狭い台所有効活用でき、調理作業効率も改善される。
【図面の簡単な説明】
【００１３】
【図１】本発明の一実施例の使用状況を示す平面図
【図２】本発明の一実施例の使用状況を示す分解斜視図
【図３】本発明の一実施例断面部分詳細図
【図４】本発明の一実施例平面部分詳細図
【図５】本発明の一実施例部分断面図
【図６】（ａ）本発明の天板平面図（ｂ）本発明の天板右側面図（ｃ）本発明の天板正面図
【図７】（ａ）本発明の袋吊具平面図（ｂ）本発明の袋吊具断面図
【図８】本発明の他の実施例部分平面図
【図９】本発明の他の実施例部分断面図
【符号の説明】
【００１４】  １    ブラケット
２    アーム
３    支持具
４    吸盤支持具
５    天板
６    袋吊具
７    市販品水切り袋
８    支軸
９    全ネジボルト
１０    長ナット
１１    板カム
１２    袋ナット
１３    凹部
１４    天板掛けフック
１５    まな板掛けラック
１６    ボルト付吸盤ホルダー
１７    吸盤
１８ａ  ナット
１８ｂ  ナット
１９    四角形孔穴
２０    包丁掛けラック
２１    略突起片
２２    突起爪
２３    磁石支持具
２４    ボルト付磁石ホルダー
２５    磁石
【図１】
2007313260.tif 000003
【図２】
2007313260.tif 000004
【図３】
2007313260.tif 000005
【図４】
2007313260.tif 000006
【図５】
2007313260.tif 000007
【図６】
2007313260.tif 000008
【図７】
2007313260.tif 000009
【図８】
2007313260.tif 000010
【図９】
2007313260.tif 000011